(57)【要約】【課題】インクジェット記録方式やレーザエングレービング記録方式において画像を記録する場合においても、偽造・変造を防止可能な画像を記録することができる。【解決手段】実施形態の記録方法は、黒色以外の複数色のインクを用いて、黒色の第１画像を記録媒体に記録し、複数色のインクと、当該複数色のインクのグレー成分と置き換える黒インクとを用いて、第１画像の周縁の少なくとも一部と接する黒色の第２画像を記録媒体に記録し、所定の黒インク置換割合の範囲内において、第１画像と第２画像との光沢度の差が抑制されるように、複数色のインクのグレー成分を黒インクで置き換える割合を制御する、ことを含む。【選択図】図１
2015202653.tif 000002
【特許請求の範囲】
【請求項１】
黒色以外の複数色のインクを用いて、黒色の第１画像を記録媒体に記録し、
前記複数色のインクと、当該複数色のインクのグレー成分と置き換える黒インクとを用いて、前記第１画像の周縁の少なくとも一部と接する黒色の第２画像を前記記録媒体に記録し、
所定の黒インク置換割合の範囲内において、前記第１画像と前記第２画像との光沢度の差が抑制されるように、前記複数色のインクのグレー成分を前記黒インクで置き換える割合を制御する、
ことを含む記録方法。
【請求項２】
画像を透過可能な第１記録媒体に対して、黒色以外の複数色のインクを用いて黒色の第１画像を記録し、
第２記録媒体の前記第１記録媒体が重ねられる面に対して、前記複数色のインクと、当該複数色のインクのグレー成分と置き換える黒インクとを用いて、前記第１画像に接する黒色の第２画像を記録し、
所定の黒インク置換割合の範囲内において、前記第１画像と前記第２画像との光沢度の差が抑制されるように、前記複数色のインクのグレー成分を前記黒インクで置き換える割合を制御する、
ことを含む記録方法。
【請求項３】
さらに、所定の画像周波数の範囲内において、前記第１画像と前記第２画像の輝度の差が抑制されるように、前記第１画像および前記第２画像の画像周波数を制御する請求項１または２に記載の記録方法。
【請求項４】
前記第２画像は、前記第１画像を背景画像でありかつ前記第１画像の周縁の全てと接する画像である請求項１または２に記載の記録方法。
【請求項５】
黒色以外の複数色のインクを用いて黒色の第１画像を記録媒体に記録し、前記複数色のインクと、当該複数色のインクのグレー成分と置き換える黒インクとを用いて、前記第１画像の周縁の少なくとも一部と接する黒色の第２画像を前記記録媒体に記録する記録部と、
所定の黒インク置換割合の範囲内において、前記第１画像と前記第２画像との光沢度の差が抑制されるように、前記複数色のインクのグレー成分を前記黒インクで置き換える割合を制御する制御部と、
を備えた記録装置。
【発明の詳細な説明】
【技術分野】
【０００１】
本発明の実施形態は、記録方法および記録装置に関する。
【背景技術】
【０００２】
情報の電子化やインターネットの普及に伴って、画像の偽造・変造防止のための技術が重要視されるようになっている。例えば、電子写真記録方式でハーフトーンスクリーンを切り替えてトナーの定着パターンを変えることにより光沢度に差のある画像を生成することで、画像の偽造・変造を防止する技術が開示されている。
【先行技術文献】
【特許文献】
【０００３】
【特許文献１】特許第４９８１７０４号公報
【発明の概要】
【発明が解決しようとする課題】
【０００４】
しかしながら、従来技術においては、画像の偽造・変造を防止するという意味では効果があるものの、電子写真記録方式専用の技術であり、インクジェット記録方式やレーザエングレービング記録方式には適用することができない。
【課題を解決するための手段】
【０００５】
実施形態の記録方法は、黒色以外の複数色のインクを用いて、黒色の第１画像を記録媒体に記録し、複数色のインクと、当該複数色のインクのグレー成分と置き換える黒インクとを用いて、第１画像の周縁の少なくとも一部と接する黒色の第２画像を記録媒体に記録し、所定の黒インク置換割合の範囲内において、第１画像と第２画像との光沢度の差が抑制されるように、複数色のインクのグレー成分を黒インクで置き換える割合を制御する、ことを含む。
【図面の簡単な説明】
【０００６】
【図１】図１は、第１の実施形態にかかる記録装置により画像が記録された記録媒体の一例を示す図である。
【図２】図２は、第１の実施形態にかかる記録装置のハードウェア構成を示すブロック図である。
【図３】図３は、第１の実施形態にかかる記録装置による記録媒体に対する画像の記録処理の流れを示すフローチャートである。
【図４】図４は、第１の実施形態にかかる記録装置において実行されるＵＣＲ処理を説明するための図である。
【図５】図５は、第１の実施形態にかかる記録装置において実行されるＵＣＲ処理を説明するための図である。
【図６】図６は、第１の実施形態にかかる記録装置において実行される空間周波数の制御処理を説明するための図である。
【図７】図７は、第２の実施形態にかかる記録装置により作成される記録媒体の断面図である。
【図８】図８は、第２の実施形態にかかる記録装置のハードウェア構成を示すブロック図である。
【図９】図９は、第２の実施形態にかかる記録装置による記録媒体の作成処理の流れを示すフローチャートである。
【図１０】図１０は、第２の実施形態にかかる記録装置による記録媒体の作成処理を説明するための図である。
【図１１】図１１は、第１，２の実施形態にかかる記録装置により記録される第１画像および第２画像の他の例を示す図である。
【発明を実施するための形態】
【０００７】
以下、添付の図面を用いて、本実施形態にかかる記録方法および記録装置について説明する。
【０００８】
（第１の実施形態）
図１は、第１の実施形態にかかる記録装置により画像が記録された記録媒体の一例を示す図である。本実施形態にかかる記録装置１０（図２参照）により画像を記録（印刷）する記録媒体１は、当該記録媒体１の所有者を識別するためのＩＤ（Identification  Data）カード（例えば、身分証明書等）である。本実施形態では、記録媒体１には、図１に示すように、当該記録媒体１の所有者の顔画像２と、文字情報３と、が当該記録媒体１０の基材４上に記録（印刷、形成）されている。
【０００９】
本実施形態では、文字情報３には、図１に示すように、記録媒体１の所有者を識別するための識別番号３ａと、記録媒体１の所有者の氏名３ｂと、記録媒体１の所有者の生年月日３ｃと、記録媒体１の有効期限３ｄと、ロゴマーク３ｅと、が含まれている。
【００１０】
ロゴマーク３ｅには、記録媒体１のセキュリティ性を高めるための画像（以下、セキュリティ画像と言う）が含まれている。本実施形態では、ロゴマーク３ｅは、図１に示すように、ロゴマーク３ｅに含まれる「東」の画像のうち符号３ｅａで示す部分の画像がセキュリティ画像である。セキュリティ画像３ｅａは、質感（例えば、光沢度や輝度など）が異なる２つの第１画像３Ａと第２画像３Ｂとを含む。第１画像３Ａおよび第２画像３Ｂは、いずれも黒色の画像である点においてデータ上では等価であるが、記録媒体１上では質感が異なり視覚的に判別することができるので、透かしとしての機能を実現して記録媒体１のセキュリティ性を高める。
【００１１】
具体的には、第１画像３Ａは、黒色（Ｋ）以外の複数色（本実施形態では、Ｃ（シアン）、Ｍ（マゼンタ）、Ｙ（イエロー））のインクを用いて記録媒体１に記録される黒色の画像である。本実施形態では、第１画像３Ａは、記録媒体１の所有者を識別するための識別番号を表す画像（言い換えると、記録媒体１の真偽の判定に用いる画像）である。本実施形態にかかる記録媒体１によれば、第１画像３Ａが表す識別番号と、文字情報３に含まれる識別番号３ａとを比較することにより、記録媒体１の真偽を判定することができる。
【００１２】
第２画像３Ｂは、複数色のインクと、当該複数色のインクのグレー成分と置き換える黒インクとを用いて、記録媒体１に記録される黒色の画像である。また、第２画像３Ｂは、図１に示すように、第１画像３Ａを包含する画像（以下、背景画像と言う）でありかつ当該第１画像３Ａの周縁の全てと接する。
【００１３】
本実施形態では、第２画像３Ｂが第１画像３Ａを包含する背景画像であるため、第２画像３Ｂは、第１画像３Ａの周縁の全てと接しているが、第２画像３Ｂは、第１画像３Ａの周縁の少なくとも一部と接していれば良い。例えば、第２画像３Ｂが第１画像３Ａの一部と接する場合には、第２画像３Ｂは、第１画像３Ａの周縁のうち当該第１画像３Ａと接する部分の周縁と接していれば良い。
【００１４】
次に、図２を用いて、本実施形態にかかる記録装置１０のハードウェア構成について説明する。図２は、第１の実施形態にかかる記録装置のハードウェア構成を示すブロック図である。本実施形態にかかる記録装置１０は、図２に示すように、ＣＰＵ（Central  Processing  Unit）１１と、ＲＯＭ（Read  Only  Memory）１２と、ＲＡＭ（Random  Access  Memory）１３と、Ｉ／Ｏ制御部１４と、印刷部１５と、がバス１６を介して接続されている。
【００１５】
ＣＰＵ１１は、ＲＯＭ１２に記憶された各種プログラムを読み出してＲＡＭ１３の作業領域に展開して実行することにより、記録装置１０の動作を制御する制御部である。Ｉ／Ｏ制御部１４は、記録媒体１に記録する文字情報３等の各種情報を入力可能なキーボードやマウス等により構成される操作部１７および記録媒体１に記録する顔画像２等の被写体を撮像する撮像装置１８等の外部機器と通信する。印刷部１５（記録部の一例）は、例えばインクジェット記録方式等によって、顔画像２や文字情報３等の各種情報を記録媒体１に記録する。本実施形態では、印刷部１５は、インクジェット記録方式によって各種情報を記録媒体１に記録しているが、これに限定するものではなく、例えば、レーザエングレービング記録方式や電子写真記録方式によって、各種情報を記録媒体１に記録しても良い。
【００１６】
次に、図２および図３を用いて、本実施形態にかかる記録装置１０による記録媒体１に対する画像の記録処理について説明する。図３は、第１の実施形態にかかる記録装置による記録媒体に対する画像の記録処理の流れを示すフローチャートである。
【００１７】
ＣＰＵ１１は、Ｉ／Ｏ制御部１４を介して、操作部１７から記録処理の実行が指示されると、記録媒体１に記録する顔画像２の画像データや文字情報３のデータなど、記録媒体１に記録する情報（以下、記録情報と言う）を取得する（ステップＳ３０１）。本実施形態では、ＣＰＵ１１は、記録処理の実行が指示されると、Ｉ／Ｏ制御部１４を介して、撮像装置１８により被写体（記録媒体１の所有者となる人物の顔）を撮像して得られた顔画像２の画像データを取得する。さらに、ＣＰＵ１１は、Ｉ／Ｏ制御部１４を介して、操作部１７を用いて入力された文字情報３（例えば、ロゴマーク３ｅ：「東芝」、第１画像３Ａにより表す情報の一例である識別番号：「１２３４５６７８９０」など）のデータを取得する。
【００１８】
ＣＰＵ１１は、取得した記録情報に従って、記録媒体１に記録する画像のうち、第１画像３Ａおよび第２画像３Ｂ以外の画像（例えば、顔画像２，識別番号３ａ，氏名３ｂ，生年月日３ｃ，有効期限３ｄ，ロゴマーク３ｅ）を生成してＲＡＭ１３に書き込む（ステップＳ３０２）。
【００１９】
次に、ＣＰＵ１１は、取得した記録情報に従って、ロゴマーク３ｅに含める第１画像３Ａ（ＣＭＹのインクを用いて記録媒体１に記録する黒色の画像であり、本実施形態では、記録媒体１の識別番号を表す画像）を生成してＲＡＭ１３に書き込む（ステップＳ３０３）。
【００２０】
さらに、ＣＰＵ１１は、取得した記録情報に従って、ログマーク３ｅに含まれる第２画像３Ｂ（ＣＭＹＫのインクを用いて記録媒体１に記録する黒色の画像）を生成してＲＡＭ１３に書き込む（ステップＳ３０４）。本実施形態では、ＣＰＵ１１は、第２画像３Ｂが第１画像３Ａを包含する背景画像となる場合（図１参照）、第１画像３Ａの周縁の全てが第２画像３Ｂと接するように、当該第２画像３Ｂを生成する。これにより、記録媒体１上において第１画像３Ａと第２画像３Ｂとの間で記録媒体１の基材４の表面が露出して、第１画像３Ａの領域と第２画像３Ｂの領域との境界が明らかになることを防止できるので、第１画像３Ａおよび第２画像３Ｂの透かしとして機能を向上させることができる。
【００２１】
次に、ＣＰＵ１１は、印刷部１５を制御して、ＲＡＭ１３に書き込んだ画像を記録媒体１に記録する印刷処理を実行させる（ステップＳ３０５）。これにより、記録装置１０は、図１に示す記録媒体１を発行することができる。
【００２２】
ここで、図４〜６を用いて、図３に示すステップＳ３０５において、第１画像３Ａおよび第２画像３Ｂを記録媒体１に記録する処理について詳細に説明する。図４および図５は、第１の実施形態にかかる記録装置において実行されるＵＣＲ処理を説明するための図である。図６は、記録媒体に記録する画像の識別階調数において人間の視覚により認識可能な画像周波数の特性を示す図である。
【００２３】
ＣＰＵ１１は、まず、印刷部１５を制御して、黒色（Ｋ）以外の複数色（ＣＭＹ）のインクを用いて第１画像３Ａを記録媒体１に記録させる。次いで、ＣＰＵ１１は、印刷部１５を制御して、複数色（ＣＭＹ）のインクと、当該複数色のインクのグレー成分と置き換える黒（Ｋ）のインクとを用いて、第２画像３Ｂを記録媒体１に記録させる。
【００２４】
ＣＰＵ１１は、複数色（ＣＭＹ）のインクおよび黒（Ｋ）のインクを用いて第２画像３Ｂを記録媒体１に記録させる際、所定の黒インク置換割合の範囲内において、第１画像３Ａと第２画像３Ｂとの光沢度の差が抑制されるように、複数色（ＣＭＹ）のインクのグレー成分を黒（Ｋ）のインクに置き換える割合を制御する。ここで、所定の黒インク置換割合の範囲とは、複数色のインクにより記録した画像と黒インクにより記録した画像とが、人間の視覚により識別可能となる黒インクの置き換え割合の範囲である。
【００２５】
複数色のインクに黒のインクを加えて第２画像３Ｂを記録する場合、黒のインクで置き換える割合が高くなるに従い、第２画像３Ｂの光沢度が高くなるため、第１画像３Ａと第２画像３Ｂとが容易に識別可能となり、透かしとして機能しなくなる。また、黒のインクで置き換える割合が低くなるに従い、第１画像３Ａと第２画像３Ｂの光沢度に差がなくなるため、第１画像３Ａと第２画像３Ｂとを識別できなくなり、透かしとして機能しなくなる。
【００２６】
そこで、ＣＰＵ１１は、所定の黒インク置換割合の範囲内において、黒インクで置き換える割合をできるだけ低くして第１画像３Ａと第２画像３Ｂとの光沢度の差を抑制しつつ、第１画像３Ａと第２画像３Ｂとが人間の視覚により識別できるように、黒インクによって置き換える割合を制御する。これにより、第１画像３Ａと第２画像３Ｂとをマクロ的に等価な色とすることができるので（言い換えると、第１画像３Ａと第２画像３Ｂとを一見すると同じ質感（光沢度）の色と認識させて、透かしとして機能させることができるので）、インクジェット記録方式やレーザエングレービング記録方式において画像を記録する場合においても、偽造・変造を防止可能な画像を記録することができる。
【００２７】
本実施形態では、ＣＰＵ１１は、ＣＭＹにＫを加えた４色のインクを用いて黒色の画像を記録する所謂墨入れという手法を用いて、第２画像３Ｂを記録媒体１に記録する。墨入れは、黒のしまりによる画質改善や高価な色のインクを節約する目的で使われる手法である。具体的には、ＣＰＵ１１は、印刷部１１によって第２画像３Ｂを記録する際に、図４に示すように、当該第２画像３Ｂの濃度信号Ｄｒ，Ｄｇ，Ｄｂから共通のグレー成分を除去する下色除去（ＵＣＲ：Under  Color  Removal）処理を実行する。次いで、ＣＰＵ１１は、除去したグレー成分と置き換える墨インク（黒インク）の量ｋを除く、ＣＭＹそれぞれのインクの量であるＣｕ，Ｍｕ，Ｙｕを求める。
【００２８】
そして、ＣＰＵ１１は、印刷部１５を制御して、ＣＭＹのインクの量Ｃｕ，Ｍｕ，Ｙｕおよび墨インクの量ｋに従って、第２画像３Ｂを記録媒体１に記録する。その際、ＣＰＵ１１は、所定の黒インク置換割合の範囲内において、第１画像３Ａ（図５（ａ）参照）と第２画像３Ｂ（図５（ｂ）参照）との光沢度の差が抑制されるように、下色除去処理によって除去したグレー成分と置き換える墨インクの割合を制御する。
【００２９】
また、ＣＰＵ１１は、第１画像３Ａおよび第２画像３Ｂを記録させる際、所定の画像周波数（空間周波数）の範囲内において、第１画像３Ａと第２画像３Ｂの輝度の差が抑制されるように、第１画像３Ａおよび第２画像３Ｂの画像周波数を制御する。ここで、所定の画像周波数の範囲は、第１画像３Ａおよび第２画像３Ｂの階調数において人間の視覚により認識可能な画像周波数（空間周波数）の範囲である。
【００３０】
ところで、カラープリンタ等の記録装置においては、入力されたデータに基づく画像の階調数が２５６階調であっても、記録媒体に対して、２５６階調で画像を記録できるとは限らない。よって、カラープリンタ等では、記録媒体に対して記録可能な画像の階調数（以下、識別階調数と言う）において人間の視覚により認識可能な画像周波数に従って、画像の記録を行う必要がある。ここで、人間の視覚により認識可能な画像周波数の閾値（ｄｏｔ／ｍｍ）は、図６に示すように、記録媒体１に記録される画像の識別階調数が高くなるに従って低下する。したがって、カラープリンタ等は、入力されたデータに基づく画像の階調数が２５６階調であるが、記録媒体１に対して記録される画像の識別階調数が１２８階調である場合、図６に示すように、１２８階調において人間の視覚により認識可能な画像周波数の閾値である約３（ｄｏｔ／ｍｍ）以下の画像周波数で画像を記録させる。
【００３１】
ここで、仮に、第１画像３Ａおよび第２画像３Ｂの画像周波数を約４（ｄｏｔ／ｍｍ）以上とすると、第１画像３Ａと第２画像３Ｂの輝度の差が肉眼で区別することができなくなり、透かしとして機能しなくなる。また、第１画像３Ａおよび第２画像３Ｂの画像周波数を約２（ｄｏｔ／ｍｍ）以下とすると、第１画像３Ａと第２画像３Ｂの輝度の差が大きくなり過ぎて肉眼で容易に区別することが可能となり、透かしとして機能しなくなる。
【００３２】
そこで、本実施形態では、ＣＰＵ１１は、第１画像３Ａと第２画像３Ｂの輝度の差を抑制しつつ第１画像３Ａと第２画像２Ｂとを識別可能とするために、第１画像３Ａと第２画像３Ｂの画像周波数が、記録媒体１に記録可能な画像の識別階調数：１２８階調における画像周波数：３（ｄｏｔ／ｍｍ）を基準として、所定の画像周波数の範囲内（例えば、１〜４（ｄｏｔ／ｍｍ））となるように制御する。これにより、第１画像３Ａと第２画像３Ｂとをマクロ的に等価な色とすることができるので（言い換えると、第１画像３Ａと第２画像３Ｂとを一見すると同じ質感（輝度）の色と認識させて、透かしとして機能させることができるので）、インクジェット記録方式やレーザエングレービング記録方式において画像を記録する場合においても、偽造・変造を防止可能な画像を記録することができる。第１画像３Ａおよび第２画像３Ｂそれぞれの画像周波数には、所定の画像周波数の範囲内であれば、同一の画像周波数を用いても良いし、異なる画像周波数を用いても良い。
【００３３】
このように、第１の実施形態の記録装置１０によれば、第１画像３Ａと第２画像３Ｂとをマクロ的に等価な色の画像とすることができるので、インクジェット記録方式やレーザエングレービング記録方式において画像を記録する場合においても、偽造・変造を防止可能な画像を記録することができる。
【００３４】
（第２の実施形態）
本実施形態は、第１画像および第２画像をそれぞれ異なる記録媒体に記録し、第１画像が記録された記録媒体と、第２画像が記録された記録媒体とを重ね合わせて、１つのＩＤカード等の記録媒体を作成する例である。以下の説明では、第１の実施形態と同様の箇所については説明を省略する。
【００３５】
図７は、第２の実施形態にかかる記録装置により作成される記録媒体の断面図である。本実施形態にかかる記録装置８０（図８参照）により作成される記録媒体７０は、画像を透過可能でありかつ第１画像３Ａが記録される第１媒体７１（第１記録媒体の一例）と、当該第１媒体７１が重ねられる面７２ａに対して第２画像３Ｂが記録される第２媒体７２（第２記録媒体の一例）とが、第１画像３Ａと第２画像３Ｂとが接するように物理的に接着されている。本実施形態では、第１媒体７１は、第２媒体７２を保護する保護フィルムであり、第２媒体７２は、ベース材料である。また、本実施形態では、第１画像３Ａおよび第２画像３Ｂ以外の顔画像２および文字情報３は、第２媒体７１に記録されているものとする。
【００３６】
第１媒体７１と第２媒体７２とを物理的に接着して得られた記録媒体７０は、第１媒体７１および第２媒体７２の双方に画像が記録されているため、第１媒体７１を第２媒体７２から剥がして当該第１媒体７１（または第２媒体７２）を他の媒体と重ね合わせて再利用しようとしても、第１媒体７１の第１画像３Ａと第２媒体７２の第２画像３Ｂとを重ね合わせたセキュリティ画像３ｅａと同様の画像を再現するのは困難であるため、記録媒体７０の偽造・変造をより効果的に防止することができる。
【００３７】
図８は、第２の実施形態にかかる記録装置のハードウェア構成を示すブロック図である。本実施形態にかかる記録装置８０は、図８に示すように、ＣＰＵ８１と、ＲＯＭ１２と、ＲＡＭ１３と、Ｉ／Ｏ制御部１４と、第１印刷部８２と、第２印刷部８３と、がバス１６を介して接続されている。
【００３８】
第１印刷部８２は、例えばインクジェット記録方式等によって、第１媒体７１に対して第１画像３Ａを記録する。本実施形態では、第１印刷部８２は、インクジェット記録方式によって第１画像３Ａを第１媒体７１に記録しているが、これに限定するものではなく、例えば、レーザエングレービング記録方式や電子写真記録方式によって、第１画像３Ａを第１媒体７１に記録しても良い。
【００３９】
第２印刷部８３は、例えばレーザエングレービング記録方式等によって、第２媒体７２に対して第２画像３Ｂを記録する。また、本実施形態では、第２印刷部８２は、第１画像３Ａおよび第２画像３Ｂ以外の顔画像２および文字情報３を、第２媒体７２に記録する。
【００４０】
本実施形態では、第２印刷部８３は、レーザエングレービング記録方式によって各種情報を第２媒体７２に記録しているが、これに限定するものではなく、例えば、インクジェット記録方式や電子写真記録方式によって、各種情報を第２媒体７２に記録しても良い。また、本実施形態では、第２印刷部８３が、第１画像３Ａおよび第２画像３Ｂ以外の顔画像２および文字情報３を、第２媒体７２に記録しているが、これに限定するものではなく、第１印刷部８２が、第１画像３Ａおよび第２画像３Ｂ以外の顔画像２および文字情報３を、第１媒体７１に記録しても良い。
【００４１】
また、第２印刷部８３は、第２媒体７２の面７２ａ上に、第１媒体７１を物理的に接着して記録媒体７０を作成して当該記録媒体７０を発行する。
【００４２】
次に、図８〜１０を用いて、本実施形態にかかる記録装置８０による記録媒体７０の作成処理について説明する。図９は、第２の実施形態にかかる記録装置による記録媒体の作成処理の流れを示すフローチャートである。図１０は、第２の実施形態にかかる記録装置による記録媒体の作成処理を説明するための図である。以下の説明では、図３に示す処理と同様の箇所については、図３と同じ符号を付して説明を省略する。
【００４３】
本実施形態では、ＣＰＵ８１は、取得した記録情報に従って、第１画像３Ａを生成する際、当該第１画像３Ａの左右の向きを反転（所謂鏡面反転）させた画像を生成してＲＡＭ１３に書き込む（ステップＳ９０１）。
【００４４】
その後、ステップＳ３０４において第２画像３Ｂが生成されると、ＣＰＵ８１は、第１印刷部８２を制御して、図１０に示すように、黒色（Ｋ）以外の複数色（ＣＭＹ）のインクを用いて、ＲＡＭ１３に書き込んだ第１画像３Ａ（第１画像３Ａの左右の向きを反転させた画像）を、第１媒体７１に記録する第１記録処理を実行する（ステップＳ９０２）。
【００４５】
次いで、ＣＰＵ８１は、第２印刷部８３を制御して、図１０に示すように、複数色（ＣＭＹ）のインクと、当該複数色のインクのグレー成分と置き換える黒（Ｋ）のインクとを用いて、ＲＡＭ１３に書き込んだ第２画像３Ｂを、第２媒体７２に記録する第２記録処理を実行する（ステップＳ９０３）。第１記録処理および第２記録処理を実行する際、ＣＰＵ８１は、第１の実施形態と同様にして、複数色（ＣＭＹ）のインクのグレー成分を黒色（Ｋ）のインクに置き換える割合および第１画像３Ａおよび第２画像３Ｂの画像周波数を制御する。
【００４６】
さらに、ＣＰＵ８１は、第２印刷部８３を制御して、ＲＡＭ１３に書き込んだ第１画像３Ａおよび第２画像３Ｂ以外の顔画像２および文字情報３を、第２媒体７２に記録する。
【００４７】
第２印刷部８３は、第２記録処理の実行後、図１０に示すように、第１媒体７１の第１画像３Ａを記録した面と、第２媒体７２の面７２ａとを接着して記録媒体７０を作成する合成処理を実行する（ステップＳ９０４）。
【００４８】
このように、第２の実施形態の記録装置８０によれば、第１の実施形態と同様の作用効果を得ることができる。
【００４９】
本実施形態では、ＣＰＵ１１（８１）は、第１画像３Ａおよび第２画像３Ｂを生成する際、当該第１画像３Ａおよび第２画像３Ｂに対して誤差拡散法による処理を施していないが、第１印刷部８２および第２印刷部８３の少なくともいずれか一方がレーザエングレービング記録方式を用いて媒体に画像を記録する場合には、第１画像３Ａおよび第２画像３Ｂに対して誤差拡散法による処理を施すことが好ましい。レーザエングレービング記録方式においては、誤差拡散法により処理を施して擬似的な階調表現がなされた画像を記録する。したがって、第２の実施形態において述べたように、第２印刷部８３がレーザエングレービング記録方式を用いて第２画像３Ｂを記録する場合には、第１画像３Ａに対して誤差拡散法による処理を施しておくことが好ましい。
【００５０】
これにより、第１印刷部８２と第２印刷部８３とが異なる記録方式（例えば、インクジェット記録方式およびレーザエングレービング記録方式）を用いて第１画像３Ａおよび第２画像３Ｂの記録を行った場合でも、第１画像３Ａと第２画像３Ｂを重ね合わせ際の親和性が良くなり、画像の見栄えの低下を防止できる。また、ＣＰＵ１１（８１）は、第１画像３Ａおよび第２画像３Ｂに対して多値誤差拡散法による処理を施して、第１画像３Ａおよび第２画像３Ｂを、中間レベルを含む階調の画像に変換しても良い。
【００５１】
本実施形態では、記録装置１０（８０）は、第１画像３Ａとして、記録媒体１（７０）の所有者を識別するための識別番号の画像を用いているが、これに限定するものではなく、第１画像３Ａとして、図形や絵柄等であっても良い。図１１は、第１，２の実施形態にかかる記録装置により記録される第１画像および第２画像の一例を示す図である。記録装置１０（８０）は、例えばインクジェット記録方式等によって、図１１に示すように、図形の一例である三角形の黒画像を第１画像３Ａとして、複数色（ＣＭＹ）のインクを用いて記録媒体１（第１媒体７１）に記録しても良い。
【００５２】
また、本実施形態では、記録装置１０（８０）は、ＣＭＹのインクを用いて第１画像３Ａを記録し、ＣＭＹＫのインクを用いて第２画像３Ｂを記録しているが、Ｋ以外の複数色のインクを用いて第１画像３Ａを記録し、当該複数色のインクおよびＫのインクを用いて第２画像３Ｂを記録するものであれば、これに限定するものではない。例えば、記録装置１０（８０）は、ＲＧＢのインクを用いて第１画像３Ａを記録し、ＲＧＢＫのインクを用いて第２画像３Ｂを記録しても良い。
【００５３】
また、本実施形態では、記録媒体１（７０）の真偽の判定に用いる画像を、黒色以外の複数色のインクを用いて記録される第１画像３Ａとし、背景画像を、複数色のインクと当該複数色のインクのグレー成分と置き換える黒インクとを用いて記録される第２画像３Ｂとしているが、これに限定するものではない。例えば、背景画像を、黒色以外の複数色のインクを用いて記録される第１画像３Ａとし、記録媒体１（７０）の真偽の判定に用いる画像を、複数色のインクと当該複数色のインクのグレー成分と置き換える黒インクとを用いて記録される第２画像３Ｂとしても良い。
【００５４】
さらに、本実施形態では、記録媒体１に記録されるロゴマーク３ｅに第１画像３Ａおよび第２画像３Ｂを含めているが、ロゴマーク３ｅ以外の黒色の画像（例えば、識別番号３ａ、氏名３ｂ、生年月日３ｃ、有効期限３ｄなど）に、第１画像３Ａおよび第２画像３Ｂを含めても良い。
【００５５】
なお、本実施形態の記録装置１０，８０で実行されるプログラムは、ＲＯＭ１２等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５６】
さらに、本実施形態の記録装置１０，８０で実行されるプログラムを、インターネット等のネットワークに接続されたコンピュータ上に格納し、ネットワーク経由でダウンロードさせることにより提供するように構成しても良い。また、本実施形態の記録装置１０，８０で実行されるプログラムをインターネット等のネットワーク経由で提供または配布するように構成しても良い。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１，７０  記録媒体
３Ａ  第１画像
３Ｂ  第２画像
１０，８０  記録装置
１１，８１  ＣＰＵ
１２  ＲＯＭ
１３  ＲＡＭ
１４  Ｉ／Ｏ制御部
１５  印刷部
１６  バス
７１  第１媒体
７２  第２媒体
７２ａ  面
８２  第１印刷部
８３  第２印刷部
【図２】
2015202653.tif 000003
【図３】
2015202653.tif 000004
【図４】
2015202653.tif 000005
【図５】
2015202653.tif 000006
【図６】
2015202653.tif 000007
【図７】
2015202653.tif 000008
【図８】
2015202653.tif 000009
【図９】
2015202653.tif 000010
【図１１】
2015202653.tif 000011
【図１】
2015202653.tif 000012
【図１０】
2015202653.tif 000013